(57)【要約】【課題】本発明は圧力配管の速い改造方法及び改造装置を開示した。【解決手段】改装装置は本体を含み、前記本体の中には改造チャンバが設けられ、前記改造チャンバの左右両側と上側とには水管が固定的に設けられ、前記水管の中にはパイプが貫通しており、前記パイプと外部とが連通しており、前記改造チャンバの中には切り替え装置が設けられ、前記切り替え装置は前記改造チャンバの前壁に固定的に設けられた切り替えモーターを含み、前記切り替えモーターの後端には三方継ぎ手が伝動できるように連結され、前記三方継ぎ手の中には連通チャンバが設けられ、前記連通チャンバの左右両側と下側とには連結パイプが連通するように設けられている。【選択図】図１
2020197299.tif 000002
【特許請求の範囲】
【請求項１】
正面視で、改装装置は本体を含み、前記本体の中には改造チャンバが設けられ、前記改造チャンバの左右両側と上側とには水管が固定的に設けられ、前記水管の中にはパイプが貫通しており、前記パイプと外部とが連通しており、前記改造チャンバの中には切り替え装置が設けられ、前記切り替え装置は前記改造チャンバの前壁に固定的に設けられた切り替えモーターを含み、前記切り替えモーターの後端には三方継ぎ手が伝動できるように連結され、前記三方継ぎ手の中には連通チャンバが設けられ、前記連通チャンバの左右両側と下側とには連結パイプが連通するように設けられ、前記連結パイプの開口が前記連通チャンバから離れており、前記切り替え装置の下側には口閉じ装置が設けられ、前記切り替え装置の左右両側と上側とには密封装置が設けられ、前記口閉じ装置は下向きに置いてある前記連結パイプの口を閉じることができ、前記連通チャンバの中に流れた媒質が下方から流れ出すことを防ぎ、前記密封装置は三方継ぎ手と前記水管とを接合しきつく挟むことができ、これによって同じ側にある前記連結パイプと前記パイプとの間に水が流れることができ、前記改造チャンバの後側には制御装置が設けられ、前記制御装置は同時に前記口閉じ装置と前記密封装置との作動を制御することができ、前記三方継ぎ手が回転することによって四つの形で三つの側の前記パイプの間に水が流れることができ、中間の前記連結パイプが下に向いているとき、相対した前記連結パイプが水平状態にあり、これにより左右両側の前記パイプを連通し、中間の前記連結パイプが左に向くとき、左側の前記パイプと上側の前記パイプとの間に水が流れることができ、中間の前記連結パイプが上に向くとき、三つの側の前記パイプの間に水が流れることができ、中間の前記連結パイプが右に向くとき、右側の前記パイプと上側の前記パイプとの間に水が流れることができ、
使用方法は：制御装置を始動し、口閉じ装置を降下連動させ、同時に密封装置を連動させ、密封装置が三方継ぎ手と水管との間の接合を解除し、このとき切り替えモーターが作動し三方継ぎ手を回転連動させ、回転角度は九十度と、百八十度と、二百七十度とに限られており、パイプの中で水をどういうふうに流すニーズにより回転角度を選択し、回転完了後再び制御装置を始動し、口閉じ装置と密封装置とを復帰させ、改めて口を閉じれば接合ができることを特徴とする圧力配管の速い改造方法及び改造装置。
【請求項２】
前記口閉じ装置は前記改造チャンバの下壁の中間に連通するように設けられた昇降チャンバを含み、前記昇降チャンバの中には昇降ロッドがスライドできるように設けられ、前記昇降ロッドの上端には口閉じ板が固定的に設けられ、前記口閉じ板の中には上方に開口した密封チャンバが設けられ、前記昇降チャンバの左右両側にはスライドロッドチャンバが左右に対称的に設けられ、前記スライドロッドチャンバが前記改造チャンバの下壁に連通しており、前記スライドロッドチャンバの中にはスライドロッドがスライドできるように設けられ、前記スライドロッドの上端には支持ロッドがヒンジによって連結され、前記支持ロッドの上端が前記口閉じ板の左右両端面にヒンジによって連結され、
使用するとき、スライドロッドを移動し互いに近づけまたは離れさせ、支持ロッドが口閉じ板を上昇または降下させ、下向きの一端の連通チャンバは密封チャンバの中に伸びて密封チャンバの下壁と当接することができ、下向きの連結パイプの口を閉じることを特徴とする請求項１に記載の圧力配管の速い改造方法及び改造装置。
【請求項３】
前記密封装置は改造チャンバの左右壁と上壁とに連通するように設けられた接合チャンバを含み、前記接合チャンバのうち前記改造チャンバから離れた側の内壁の中には水管が固定的に設けられ、前記接合チャンバの中には半円弧の接合板が対称的に、且つスライドできるように設けられ、左右両側の前記接合チャンバの中の前記接合板は上下に対称的に、且つ上下に移動できるように設けられ、上側の前記接合チャンバの中には前記接合板が左右に対称的に、且つ左右に移動できるように設けられ、左右両側の前記接合チャンバの上下両壁には押し引きチャンバが連通するように設けられ、上側の前記押し引きチャンバが上側の前記接合チャンバの左右両壁に連通しており、前記押し引きチャンバの後壁には斜めスライド溝が連通するように設けられ、前記斜めスライド溝の中にはスライド軸がスライドできるように設けられ、前記スライド溝の前端が前記押し引きチャンバの中に伸びており、前記接合板のうち前記押し引きチャンバに近接した一端には押し引きロッドがヒンジによって連結され、前記押し引きロッドが同じ側の前記押し引きチャンバの中に伸びており、且つ前記スライド軸に回転できるように連結され、
使用するとき、スライド軸は押し引きロッドによりそれぞれの接合チャンバの中の接合板を互いに近づけまたは離れさせることを特徴とする請求項１に記載の圧力配管の速い改造方法及び改造装置。
【請求項４】
前記制御装置は前記改造チャンバの後壁の中に設けられた傘歯車チャンバを含み、前記傘歯車チャンバの後壁の中には制御モーターが固定的に設けられ、前記制御モーターの前端には駆動傘歯車が伝動できるように連結され、前記傘歯車チャンバの左上と、右上と、右下と、左下との四つの側には伸縮チャンバが環状に配置され、前記伸縮チャンバの中には伸縮ロッドがスライドできるように設けられ、前記伸縮チャンバが前記斜めスライド溝の後側に連通しており、前記スライド軸の後端が前記伸縮ロッドに固定的に連結され、前記伸縮ロッドの中には前記傘歯車チャンバに向いて開口したネジ山チャンバが設けられ、前記ネジ山チャンバの中にはネジロッドがねじ山によって連結され、前記ネジロッドの一端が前記傘歯車チャンバの中に伸びており、且つ前記ネジロッドの一端には前記駆動傘歯車と噛合した従動傘歯車が固定的に設けられ、
使用するとき、制御モーターが作動し駆動傘歯車を回転連動させ、ネジ山の連結により従動傘歯車を回転連動させ、これによりネジロッドを回転連動させ、ネジ山の連結により伸縮ロッドを傘歯車チャンバから離れた方向へ移動連動させ、これによりスライド軸を中心から離れた方向へ移動連動させることを特徴とする請求項１に記載の圧力配管の速い改造方法及び改造装置。
【請求項５】
下側の伸縮チャンバの間にはガイドスライドチャンバが連通するように設けられ、前記ガイドスライドチャンバが前記スライドロッドチャンバの後壁に連通しており、前記ガイドスライドチャンバの中にはガイドスライドブロックが左右に対称的に、且つスライドできるように設けられ、前記ガイドスライドブロックが前記スライドロッドの後端に固定的に連結され、前記ガイドスライドブロックの中にはスライドチャンバが設けられ、前記スライドチャンバの中にはスライドブロックがスライドできるように設けられ、前記スライドブロックのうち前記伸縮チャンバに近接した一端には連結ロッドが固定的に設けられ、前記連結ロッドが下側の前記伸縮ロッドの下端に固定的に連結され、
使用するとき、下側の伸縮ロッドが連結ロッドによりスライドブロックを下へスライド連動させると同時に、スライドブロックを互いに離れさせ、スライドブロックがスライドチャンバの中に上下にスライドすることができるため、ガイドスライドブロックが互いに離れ、これによりスライドロッドチャンバを互いに離れさせることを特徴とする請求項１に記載の圧力配管の速い改造方法及び改造装置。
【請求項６】
前記改造チャンバの下壁には外部に連通した流出口が連通するように設けられ、
使用するとき、連通方式の切り替えをするとき、連通チャンバと連結パイプとの中に残された媒質が改造チャンバの中に流れ、流出口により排出されることができることを特徴とする請求項１に記載の圧力配管の速い改造方法及び改造装置。
【発明の詳細な説明】
【技術分野】
【０００１】
本発明は配管技術分野を取り上げて、具体的には圧力配管の速い改造方法及び改造装置である。
【背景技術】
【０００２】
圧力配管は導水作用を果たすことができるが、異なった環境とニーズによって導水方向が異なっており、そのため、配管を速く改造する必要があり、現有の圧力配管の改造方法の中、ほとんどのが直接に配管を固定し連結し、そして固定し取り付け、配管の開閉を制御するため、それぞれの配管にはバルブが取り付けられ、しかし長時間の圧力により、閉まっているバルブが長時間の圧力を受けるため、壊れやすくなり、もしバルブが壊れて水が漏れたら、損失を招く一方、圧力が降下することによって水圧の作用を弱めることもあり、同時にメンテナンスも面倒くさく、従って、圧力配管の速い改造方法及び改造装置が必要とされる。
【先行技術文献】
【特許文献】
【０００３】
【特許文献１】中国特許出願公開第１０１７２５７９３号明細書
【発明の概要】
【発明が解決しようとする課題】
【０００４】
本発明の目的は圧力配管の速い改造方法及び改造装置を提供し、それは上記の現在の技術中の問題を解決できる。
【課題を解決するための手段】
【０００５】
本発明の圧力配管の速い改造方法及び改造装置の中、改装装置は本体を含み、前記本体の中には改造チャンバが設けられ、前記改造チャンバの左右両側と上側とには水管が固定的に設けられ、前記水管の中にはパイプが貫通しており、前記パイプと外部とが連通しており、前記改造チャンバの中には切り替え装置が設けられ、前記切り替え装置は前記改造チャンバの前壁に固定的に設けられた切り替えモーターを含み、前記切り替えモーターの後端には三方継ぎ手が伝動できるように連結され、前記三方継ぎ手の中には連通チャンバが設けられ、前記連通チャンバの左右両側と下側とには連結パイプが連通するように設けられ、前記連結パイプの開口が前記連通チャンバから離れており、前記切り替え装置の下側には口閉じ装置が設けられ、前記切り替え装置の左右両側と上側とには密封装置が設けられ、前記口閉じ装置は下向きに置いてある前記連結パイプの口を閉じることができ、前記連通チャンバの中に流れた媒質が下方から流れ出すことを防ぎ、前記密封装置は三方継ぎ手と前記水管とを接合しきつく挟むことができ、これによって同じ側にある前記連結パイプと前記パイプとの間に水が流れることができ、前記改造チャンバの後側には制御装置が設けられ、前記制御装置は同時に前記口閉じ装置と前記密封装置との作動を制御することができ、前記三方継ぎ手が回転することによって四つの形で三つの側の前記パイプの間に水が流れることができ、中間の前記連結パイプが下に向いているとき、相対した前記連結パイプが水平状態にあり、これにより左右両側の前記パイプを連通し、中間の前記連結パイプが左に向くとき、左側の前記パイプと上側の前記パイプとの間に水が流れることができ、中間の前記連結パイプが上に向くとき、三つの側の前記パイプの間に水が流れることができ、中間の前記連結パイプが右に向くとき、右側の前記パイプと上側の前記パイプとの間に水が流れることができる。
【０００６】
更の技術プラン、前記口閉じ装置は前記改造チャンバの下壁の中間に連通するように設けられた昇降チャンバを含み、前記昇降チャンバの中には昇降ロッドがスライドできるように設けられ、前記昇降ロッドの上端には口閉じ板が固定的に設けられ、前記口閉じ板の中には上方に開口した密封チャンバが設けられ、前記昇降チャンバの左右両側にはスライドロッドチャンバが左右に対称的に設けられ、前記スライドロッドチャンバが前記改造チャンバの下壁に連通しており、前記スライドロッドチャンバの中にはスライドロッドがスライドできるように設けられ、前記スライドロッドの上端には支持ロッドがヒンジによって連結され、前記支持ロッドの上端が前記口閉じ板の左右両端面にヒンジによって連結されている。
【０００７】
更の技術プラン、前記密封装置は改造チャンバの左右壁と上壁とに連通するように設けられた接合チャンバを含み、前記接合チャンバのうち前記改造チャンバから離れた側の内壁の中には水管が固定的に設けられ、前記接合チャンバの中には半円弧の接合板が対称的に、且つスライドできるように設けられ、左右両側の前記接合チャンバの中の前記接合板は上下に対称的に、且つ上下に移動できるように設けられ、上側の前記接合チャンバの中には前記接合板が左右に対称的に、且つ左右に移動できるように設けられ、左右両側の前記接合チャンバの上下両壁には押し引きチャンバが連通するように設けられ、上側の前記押し引きチャンバが上側の前記接合チャンバの左右両壁に連通しており、前記押し引きチャンバの後壁には斜めスライド溝が連通するように設けられ、前記斜めスライド溝の中にはスライド軸がスライドできるように設けられ、前記スライド溝の前端が前記押し引きチャンバの中に伸びており、前記接合板のうち前記押し引きチャンバに近接した一端には押し引きロッドがヒンジによって連結され、前記押し引きロッドが同じ側の前記押し引きチャンバの中に伸びており、且つ前記スライド軸に回転できるように連結されている。
【０００８】
更の技術プラン、前記制御装置は前記改造チャンバの後壁の中に設けられた傘歯車チャンバを含み、前記傘歯車チャンバの後壁の中には制御モーターが固定的に設けられ、前記制御モーターの前端には駆動傘歯車が伝動できるように連結され、前記傘歯車チャンバの左上と、右上と、右下と、左下との四つの側には伸縮チャンバが環状に配置され、前記伸縮チャンバの中には伸縮ロッドがスライドできるように設けられ、前記伸縮チャンバが前記斜めスライド溝の後側に連通しており、前記スライド軸の後端が前記伸縮ロッドに固定的に連結され、前記伸縮ロッドの中には前記傘歯車チャンバに向いて開口したネジ山チャンバが設けられ、前記ネジ山チャンバの中にはネジロッドがねじ山によって連結され、前記ネジロッドの一端が前記傘歯車チャンバの中に伸びており、且つ前記ネジロッドの一端には前記駆動傘歯車と噛合した従動傘歯車が固定的に設けられている。
【０００９】
更の技術プラン、下側の伸縮チャンバの間にはガイドスライドチャンバが連通するように設けられ、前記ガイドスライドチャンバが前記スライドロッドチャンバの後壁に連通しており、前記ガイドスライドチャンバの中にはガイドスライドブロックが左右に対称的に、且つスライドできるように設けられ、前記ガイドスライドブロックが前記スライドロッドの後端に固定的に連結され、前記ガイドスライドブロックの中にはスライドチャンバが設けられ、前記スライドチャンバの中にはスライドブロックがスライドできるように設けられ、前記スライドブロックのうち前記伸縮チャンバに近接した一端には連結ロッドが固定的に設けられ、前記連結ロッドが下側の前記伸縮ロッドの下端に固定的に連結されている。
【００１０】
更の技術プラン、前記改造チャンバの下壁には外部に連通した流出口が連通するように設けられている。
【発明の効果】
【００１１】
本発明は構造が簡単で、操作が便利であり、ニーズに合わせて自動的に接合でき、使用しない開口を閉じることもでき、改造するときの密封問題を解決でき、三つの通路に対して四種類の方式で連通することにより、使用状況に応じて連通方向を選択でき、連通パイプの数量も選択でき、より多くのニーズに対応でき、使用しないパイプに対して、水を流通させない方法を取り、有効にパイプの使用寿命を延ばせる。
【図面の簡単な説明】
【００１２】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の圧力配管の速い改造方法及び改造装置の内部全体構成略図
【図２】図２は図１のＡ―Ａの構成略図
【図３】図３は図２のＢ―Ｂの構成略図
【図４】図４は図３のＣ―Ｃの構成略図
【発明を実施するための形態】
【００１４】
図１〜４を参照し、本発明の圧力配管の速い改造方法及び改造装置の中、改装装置は本体１１を含み、前記本体１１の中には改造チャンバ１２が設けられ、前記改造チャンバ１２の左右両側と上側とには水管１３が固定的に設けられ、前記水管１３の中にはパイプ１４が貫通しており、前記パイプ１４と外部とが連通しており、前記改造チャンバ１２の中には切り替え装置１０１が設けられ、前記切り替え装置１０１は前記改造チャンバ１２の前壁に固定的に設けられた切り替えモーター１５を含み、前記切り替えモーター１５の後端には三方継ぎ手１６が伝動できるように連結され、前記三方継ぎ手１６の中には連通チャンバ１７が設けられ、前記連通チャンバ１７の左右両側と下側とには連結パイプ１８が連通するように設けられ、前記連結パイプ１８の開口が前記連通チャンバ１７から離れており、前記切り替え装置１０１の下側には口閉じ装置１０２が設けられ、前記切り替え装置１０１の左右両側と上側とには密封装置１０３が設けられ、前記口閉じ装置１０２は下向きに置いてある前記連結パイプ１８の口を閉じることができ、前記連通チャンバ１７の中に流れた媒質が下方から流れ出すことを防ぎ、前記密封装置１０３は三方継ぎ手１６と前記水管１３とを接合しきつく挟むことができ、これによって同じ側にある前記連結パイプ１８と前記パイプ１４との間に水が流れることができ、前記改造チャンバ１２の後側には制御装置１０４が設けられ、前記制御装置１０４は同時に前記口閉じ装置１０２と前記密封装置１０３との作動を制御することができ、前記三方継ぎ手１６が回転することによって四つの形で三つの側の前記パイプ１４の間に水が流れることができ、中間の前記連結パイプ１８が下に向いているとき、相対した前記連結パイプ１８が水平状態にあり、これにより左右両側の前記パイプを連通し、中間の前記連結パイプ１８が左に向くとき、左側の前記パイプ１４と上側の前記パイプ１４との間に水が流れることができ、中間の前記連結パイプ１８が上に向くとき、三つの側の前記パイプ１４の間に水が流れることができ、中間の前記連結パイプ１８が右に向くとき、右側の前記パイプ１４と上側の前記パイプ１４との間に水が流れることができる。
【００１５】
使用方法は：制御装置１０４を始動し、口閉じ装置１０２を降下連動させ、同時に密封装置１０３を連動させ、密封装置１０３が三方継ぎ手１６と水管１３との間の接合を解除し、このとき切り替えモーター１５が作動し三方継ぎ手１６を回転連動させ、回転角度は九十度と、百八十度と、二百七十度とに限られており、パイプの中で水をどういうふうに流すニーズにより回転角度を選択し、回転完了後再び制御装置１０４を始動し、口閉じ装置１０２と密封装置１０３とを復帰させ、改めて口を閉じれば接合ができる。
【００１６】
有益に、前記口閉じ装置１０２は前記改造チャンバ１２の下壁の中間に連通するように設けられた昇降チャンバ１９を含み、前記昇降チャンバ１９の中には昇降ロッド２０がスライドできるように設けられ、前記昇降ロッド２０の上端には口閉じ板２１が固定的に設けられ、前記口閉じ板２１の中には上方に開口した密封チャンバ２２が設けられ、前記昇降チャンバ１９の左右両側にはスライドロッドチャンバ２３が左右に対称的に設けられ、前記スライドロッドチャンバ２３が前記改造チャンバ１２の下壁に連通しており、前記スライドロッドチャンバ２３の中にはスライドロッド２４がスライドできるように設けられ、前記スライドロッド２４の上端には支持ロッド２５がヒンジによって連結され、前記支持ロッド２５の上端が前記口閉じ板２１の左右両端面にヒンジによって連結されている。
【００１７】
使用するとき、スライドロッド２４を移動し互いに近づけまたは離れさせ、支持ロッド２５が口閉じ板２１を上昇または降下させ、下向きの一端の連通チャンバ１７は密封チャンバ２２の中に伸びて密封チャンバの下壁と当接することができ、下向きの連結パイプ１８の口を閉じる。
【００１８】
有益に、前記密封装置１０３は改造チャンバ１２の左右壁と上壁とに連通するように設けられた接合チャンバ４５を含み、前記接合チャンバ４５のうち前記改造チャンバ１２から離れた側の内壁の中には水管１３が固定的に設けられ、前記接合チャンバ４５の中には半円弧の接合板２６が対称的に、且つスライドできるように設けられ、左右両側の前記接合チャンバ４５の中の前記接合板２６は上下に対称的に、且つ上下に移動できるように設けられ、上側の前記接合チャンバ４５の中には前記接合板２６が左右に対称的に、且つ左右に移動できるように設けられ、左右両側の前記接合チャンバ４５の上下両壁には押し引きチャンバ２７が連通するように設けられ、上側の前記押し引きチャンバ２７が上側の前記接合チャンバ４５の左右両壁に連通しており、前記押し引きチャンバ２７の後壁には斜めスライド溝２８が連通するように設けられ、前記斜めスライド溝２８の中にはスライド軸２９がスライドできるように設けられ、前記スライド溝２９の前端が前記押し引きチャンバ２７の中に伸びており、前記接合板２６のうち前記押し引きチャンバ２７に近接した一端には押し引きロッド３０がヒンジによって連結され、前記押し引きロッド３０が同じ側の前記押し引きチャンバ２７の中に伸びており、且つ前記スライド軸２９に回転できるように連結されている。
【００１９】
使用するとき、スライド軸２９は押し引きロッド３０によりそれぞれの接合チャンバ４５の中の接合板２６を互いに近づけまたは離れさせる。
【００２０】
有益に、前記制御装置１０４は前記改造チャンバ１２の後壁の中に設けられた傘歯車チャンバ３１を含み、前記傘歯車チャンバ３１の後壁の中には制御モーター３２が固定的に設けられ、前記制御モーター３２の前端には駆動傘歯車３３が伝動できるように連結され、前記傘歯車チャンバ３１の左上と、右上と、右下と、左下との四つの側には伸縮チャンバ３４が環状に配置され、前記伸縮チャンバ３４の中には伸縮ロッド３５がスライドできるように設けられ、前記伸縮チャンバ３４が前記斜めスライド溝２８の後側に連通しており、前記スライド軸２９の後端が前記伸縮ロッド３５に固定的に連結され、前記伸縮ロッド３５の中には前記傘歯車チャンバ３１に向いて開口したネジ山チャンバ３６が設けられ、前記ネジ山チャンバ３６の中にはネジロッド３７がねじ山によって連結され、前記ネジロッド３７の一端が前記傘歯車チャンバ３１の中に伸びており、且つ前記ネジロッド３７の一端には前記駆動傘歯車３３と噛合した従動傘歯車３８が固定的に設けられている。
【００２１】
使用するとき、制御モーター３２が作動し駆動傘歯車３３を回転連動させ、ネジ山の連結により従動傘歯車３８を回転連動させ、これによりネジロッド３７を回転連動させ、ネジ山の連結により伸縮ロッド３５を傘歯車チャンバ３１から離れた方向へ移動連動させ、これによりスライド軸２９を中心から離れた方向へ移動連動させる。
【００２２】
有益に、下側の伸縮チャンバ３４の間にはガイドスライドチャンバ３９が連通するように設けられ、前記ガイドスライドチャンバ３９が前記スライドロッドチャンバ２３の後壁に連通しており、前記ガイドスライドチャンバ３９の中にはガイドスライドブロック４０が左右に対称的に、且つスライドできるように設けられ、前記ガイドスライドブロック４０が前記スライドロッド２４の後端に固定的に連結され、前記ガイドスライドブロック４０の中にはスライドチャンバ４１が設けられ、前記スライドチャンバ４１の中にはスライドブロック４２がスライドできるように設けられ、前記スライドブロック４２のうち前記伸縮チャンバ３４に近接した一端には連結ロッド４３が固定的に設けられ、前記連結ロッド４３が下側の前記伸縮ロッド３５の下端に固定的に連結されている。
【００２３】
使用するとき、下側の伸縮ロッド３５が連結ロッド４３によりスライドブロック４２を下へスライド連動させると同時に、スライドブロック４２を互いに離れさせ、スライドブロック４２がスライドチャンバ４１の中に上下にスライドすることができるため、ガイドスライドブロック４０が互いに離れ、これによりスライドロッドチャンバ２３を互いに離れさせる。
【００２４】
有益に、前記改造チャンバ１２の下壁には外部に連通した流出口４４が連通するように設けられている。
【００２５】
使用するとき、連通方式の切り替えをするとき、連通チャンバ１７と連結パイプ１８との中に残された媒質が改造チャンバ１２の中に流れ、流出口４４により排出されることができる。
【００２６】
初期状態に、接合板２６が互いにきつく挟み、水管１３と三方継ぎ手１６とを接合し密封し、口閉じ板２１が下側の連結パイプ１８の口を閉じる。
【００２７】
パイプを改造するとき、水が流れてくる側のパイプ１４を閉じ、制御モーター３２が作動し駆動傘歯車３３を回転連動させ、ねじ山の連結により従動傘歯車３８を回転連動させ、これによりネジロッド３７を回転連動させ、ねじ山の連結により伸縮ロッド３５を傘歯車チャンバ３１から離れた方向へ移動連動させ、これによりスライド軸２９を中心から離れた方向へ移動連動させ、これにより押し引きロッド３０で接合板２６を連動させて互いに離れさせ、これにより三方継ぎ手１６と水管１３との間の接合を解除し、このとき下側の伸縮ロッド３５が連結ロッド４３でスライドブロック４２を下へスライド連動させると同時に、スライドブロック４２を互いに離れさせ、スライドブロック４２がスライドチャンバ４１の中に上下にスライドすることができるため、ガイドスライドブロック４０を連動させて互いに離れさせ、これによりスライドロッドチャンバ２３を連動させて互いに離れさせ、これにより支持ロッド２５で口閉じ板２１を降下連動させ、このとき三方継ぎ手１６が密封チャンバ２２と離脱し、このとき切り替えモーター１５が作動し、且つ改造のニーズに合わせて三方継ぎ手１６を回転させ、完成後制御モーター３２が逆回転し、装置を初期状態に戻す。
【００２８】
本発明の有益効果は：本発明は構造が簡単で、操作が便利であり、ニーズに合わせて自動的に接合でき、使用しない開口を閉じることもでき、改造するときの密封問題を解決でき、三つの通路に対して四種類の方式で連通することにより、使用状況に応じて連通方向を選択でき、連通パイプの数量も選択でき、より多くのニーズに対応でき、使用しないパイプに対して、水を流通させない方法を取り、有効にパイプの使用寿命を延ばせる。
【００２９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020197299.tif 000003
【図２】
2020197299.tif 000004
【図３】
2020197299.tif 000005
【図４】
2020197299.tif 000006
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
正面視で、改良装置は本体を含み、前記本体の中には改良チャンバが設けられ、前記改良チャンバの左右両側と上側とには水管が固定的に設けられ、前記水管の中にはパイプが貫通しており、前記パイプと外部とが連通しており、前記改良チャンバの中には切り替え装置が設けられ、前記切り替え装置は前記改良チャンバの前壁に固定的に設けられた切り替えモーターを含み、前記切り替えモーターの後端には三方継ぎ手が伝動できるように連結され、前記三方継ぎ手の中には連通チャンバが設けられ、前記連通チャンバの左右両側と下側とには連結パイプが連通するように設けられ、前記連結パイプの開口が前記連通チャンバから離れており、前記切り替え装置の下側には口閉じ装置が設けられ、前記切り替え装置の左右両側と上側とには密封装置が設けられ、前記口閉じ装置は下向きに置いてある前記連結パイプの口を閉じることができ、前記連通チャンバの中に流れた媒質が下方から流れ出すことを防ぎ、前記密封装置は三方継ぎ手と前記水管とを接合しきつく挟むことができ、これによって同じ側にある前記連結パイプと前記パイプとの間に水が流れることができ、前記改良チャンバの後側には制御装置が設けられ、前記制御装置は同時に前記口閉じ装置と前記密封装置との作動を制御することができ、前記三方継ぎ手が回転することによって四つの形で三つの側の前記パイプの間に水が流れることができ、中間の前記連結パイプが下に向いているとき、相対した前記連結パイプが水平状態にあり、これにより左右両側の前記パイプを連通し、中間の前記連結パイプが左に向くとき、左側の前記パイプと上側の前記パイプとの間に水が流れることができ、中間の前記連結パイプが上に向くとき、三つの側の前記パイプの間に水が流れることができ、中間の前記連結パイプが右に向くとき、右側の前記パイプと上側の前記パイプとの間に水が流れることができ、
使用方法は：制御装置を始動し、口閉じ装置を降下連動させ、同時に密封装置を連動させ、密封装置が三方継ぎ手と水管との間の接合を解除し、このとき切り替えモーターが作動し三方継ぎ手を回転連動させ、回転角度は九十度と、百八十度と、二百七十度とに限られており、パイプの中で水をどういうふうに流すニーズにより回転角度を選択し、回転完了後再び制御装置を始動し、口閉じ装置と密封装置とを復帰させ、改めて口を閉じれば接合ができることを特徴とする圧力配管の速い改良方法及び改良装置。
【請求項２】
前記口閉じ装置は前記改良チャンバの下壁の中間に連通するように設けられた昇降チャンバを含み、前記昇降チャンバの中には昇降ロッドがスライドできるように設けられ、前記昇降ロッドの上端には口閉じ板が固定的に設けられ、前記口閉じ板の中には上方に開口した密封チャンバが設けられ、前記昇降チャンバの左右両側にはスライドロッドチャンバが左右に対称的に設けられ、前記スライドロッドチャンバが前記改良チャンバの下壁に連通しており、前記スライドロッドチャンバの中にはスライドロッドがスライドできるように設けられ、前記スライドロッドの上端には支持ロッドがヒンジによって連結され、前記支持ロッドの上端が前記口閉じ板の左右両端面にヒンジによって連結され、
使用するとき、スライドロッドを移動し互いに近づけまたは離れさせ、支持ロッドが口閉じ板を上昇または降下させ、下向きの一端の連通チャンバは密封チャンバの中に伸びて密封チャンバの下壁と当接することができ、下向きの連結パイプの口を閉じることを特徴とする請求項１に記載の圧力配管の速い改良方法及び改良装置。
【請求項３】
前記密封装置は改良チャンバの左右壁と上壁とに連通するように設けられた接合チャンバを含み、前記接合チャンバのうち前記改良チャンバから離れた側の内壁の中には水管が固定的に設けられ、前記接合チャンバの中には半円弧の接合板が対称的に、且つスライドできるように設けられ、左右両側の前記接合チャンバの中の前記接合板は上下に対称的に、且つ上下に移動できるように設けられ、上側の前記接合チャンバの中には前記接合板が左右に対称的に、且つ左右に移動できるように設けられ、左右両側の前記接合チャンバの上下両壁には押し引きチャンバが連通するように設けられ、上側の前記押し引きチャンバが上側の前記接合チャンバの左右両壁に連通しており、前記押し引きチャンバの後壁には斜めスライド溝が連通するように設けられ、前記斜めスライド溝の中にはスライド軸がスライドできるように設けられ、前記スライド溝の前端が前記押し引きチャンバの中に伸びており、前記接合板のうち前記押し引きチャンバに近接した一端には押し引きロッドがヒンジによって連結され、前記押し引きロッドが同じ側の前記押し引きチャンバの中に伸びており、且つ前記スライド軸に回転できるように連結され、
使用するとき、スライド軸は押し引きロッドによりそれぞれの接合チャンバの中の接合板を互いに近づけまたは離れさせることを特徴とする請求項１に記載の圧力配管の速い改良方法及び改良装置。
【請求項４】
前記制御装置は前記改良チャンバの後壁の中に設けられた傘歯車チャンバを含み、前記傘歯車チャンバの後壁の中には制御モーターが固定的に設けられ、前記制御モーターの前端には駆動傘歯車が伝動できるように連結され、前記傘歯車チャンバの左上と、右上と、右下と、左下との四つの側には伸縮チャンバが環状に配置され、前記伸縮チャンバの中には伸縮ロッドがスライドできるように設けられ、前記伸縮チャンバが前記斜めスライド溝の後側に連通しており、前記スライド軸の後端が前記伸縮ロッドに固定的に連結され、前記伸縮ロッドの中には前記傘歯車チャンバに向いて開口したネジ山チャンバが設けられ、前記ネジ山チャンバの中にはネジロッドがねじ山によって連結され、前記ネジロッドの一端が前記傘歯車チャンバの中に伸びており、且つ前記ネジロッドの一端には前記駆動傘歯車と噛合した従動傘歯車が固定的に設けられ、
使用するとき、制御モーターが作動し駆動傘歯車を回転連動させ、ネジ山の連結により従動傘歯車を回転連動させ、これによりネジロッドを回転連動させ、ネジ山の連結により伸縮ロッドを傘歯車チャンバから離れた方向へ移動連動させ、これによりスライド軸を中心から離れた方向へ移動連動させることを特徴とする請求項１に記載の圧力配管の速い改良方法及び改良装置。
【請求項５】
下側の伸縮チャンバの間にはガイドスライドチャンバが連通するように設けられ、前記ガイドスライドチャンバが前記スライドロッドチャンバの後壁に連通しており、前記ガイドスライドチャンバの中にはガイドスライドブロックが左右に対称的に、且つスライドできるように設けられ、前記ガイドスライドブロックが前記スライドロッドの後端に固定的に連結され、前記ガイドスライドブロックの中にはスライドチャンバが設けられ、前記スライドチャンバの中にはスライドブロックがスライドできるように設けられ、前記スライドブロックのうち前記伸縮チャンバに近接した一端には連結ロッドが固定的に設けられ、前記連結ロッドが下側の前記伸縮ロッドの下端に固定的に連結され、
使用するとき、下側の伸縮ロッドが連結ロッドによりスライドブロックを下へスライド連動させると同時に、スライドブロックを互いに離れさせ、スライドブロックがスライドチャンバの中に上下にスライドすることができるため、ガイドスライドブロックが互いに離れ、これによりスライドロッドチャンバを互いに離れさせることを特徴とする請求項１に記載の圧力配管の速い改良方法及び改良装置。
【請求項６】
前記改良チャンバの下壁には外部に連通した流出口が連通するように設けられ、
使用するとき、連通方式の切り替えをするとき、連通チャンバと連結パイプとの中に残された媒質が改良チャンバの中に流れ、流出口により排出されることができることを特徴とする請求項１に記載の圧力配管の速い改良方法及び改良装置。
【手続補正２】
【補正対象書類名】明細書
【補正対象項目名】全文
【補正方法】変更
【補正の内容】
【発明の詳細な説明】
【技術分野】
【０００１】
本発明は配管技術分野を取り上げて、具体的には圧力配管の速い改良方法及び改良装置である。
【背景技術】
【０００２】
圧力配管は導水作用を果たすことができるが、異なった環境とニーズによって導水方向が
異なっており、そのため、配管を速く改良する必要があり、現有の圧力配管の改良方法の中、ほとんどのが直接に配管を固定し連結し、そして固定し取り付け、配管の開閉を制御するため、それぞれの配管にはバルブが取り付けられ、しかし長時間の圧力により、閉まっているバルブが長時間の圧力を受けるため、壊れやすくなり、もしバルブが壊れて水が漏れたら、損失を招く一方、圧力が降下することによって水圧の作用を弱めることもあり、同時にメンテナンスも面倒くさく、従って、圧力配管の速い改良方法及び改良装置が必要とされる。
【先行技術文献】
【特許文献】
【０００３】
【特許文献１】中国特許出願公開第１０１７２５７９３号明細書
【発明の概要】
【発明が解決しようとする課題】
【０００４】
本発明の目的は圧力配管の速い改良方法及び改良装置を提供し、それは上記の現在の技術中の問題を解決できる。
【課題を解決するための手段】
【０００５】
本発明の圧力配管の速い改良方法及び改良装置の中、改良装置は本体を含み、前記本体の中には改良チャンバが設けられ、前記改良チャンバの左右両側と上側とには水管が固定的に設けられ、前記水管の中にはパイプが貫通しており、前記パイプと外部とが連通しており、前記改良チャンバの中には切り替え装置が設けられ、前記切り替え装置は前記改良チャンバの前壁に固定的に設けられた切り替えモーターを含み、前記切り替えモーターの後端には三方継ぎ手が伝動できるように連結され、前記三方継ぎ手の中には連通チャンバが設けられ、前記連通チャンバの左右両側と下側とには連結パイプが連通するように設けられ、前記連結パイプの開口が前記連通チャンバから離れており、前記切り替え装置の下側には口閉じ装置が設けられ、前記切り替え装置の左右両側と上側とには密封装置が設けられ、前記口閉じ装置は下向きに置いてある前記連結パイプの口を閉じることができ、前記連通チャンバの中に流れた媒質が下方から流れ出すことを防ぎ、前記密封装置は三方継ぎ手と前記水管とを接合しきつく挟むことができ、これによって同じ側にある前記連結パイプと前記パイプとの間に水が流れることができ、前記改良チャンバの後側には制御装置が設けられ、前記制御装置は同時に前記口閉じ装置と前記密封装置との作動を制御することができ、前記三方継ぎ手が回転することによって四つの形で三つの側の前記パイプの間に水が流れることができ、中間の前記連結パイプが下に向いているとき、相対した前記連結パイプが水平状態にあり、これにより左右両側の前記パイプを連通し、中間の前記連結パイプが左に向くとき、左側の前記パイプと上側の前記パイプとの間に水が流れることができ、中間の前記連結パイプが上に向くとき、三つの側の前記パイプの間に水が流れることができ、中間の前記連結パイプが右に向くとき、右側の前記パイプと上側の前記パイプとの間に水が流れることができる。
【０００６】
更の技術プラン、前記口閉じ装置は前記改良チャンバの下壁の中間に連通するように設けられた昇降チャンバを含み、前記昇降チャンバの中には昇降ロッドがスライドできるように設けられ、前記昇降ロッドの上端には口閉じ板が固定的に設けられ、前記口閉じ板の中には上方に開口した密封チャンバが設けられ、前記昇降チャンバの左右両側にはスライドロッドチャンバが左右に対称的に設けられ、前記スライドロッドチャンバが前記改良チャンバの下壁に連通しており、前記スライドロッドチャンバの中にはスライドロッドがスライドできるように設けられ、前記スライドロッドの上端には支持ロッドがヒンジによって連結され、前記支持ロッドの上端が前記口閉じ板の左右両端面にヒンジによって連結されている。
【０００７】
更の技術プラン、前記密封装置は改良チャンバの左右壁と上壁とに連通するように設けられた接合チャンバを含み、前記接合チャンバのうち前記改良チャンバから離れた側の内壁の中には水管が固定的に設けられ、前記接合チャンバの中には半円弧の接合板が対称的に、且つスライドできるように設けられ、左右両側の前記接合チャンバの中の前記接合板は上下に対称的に、且つ上下に移動できるように設けられ、上側の前記接合チャンバの中には前記接合板が左右に対称的に、且つ左右に移動できるように設けられ、左右両側の前記接合チャンバの上下両壁には押し引きチャンバが連通するように設けられ、上側の前記押し引きチャンバが上側の前記接合チャンバの左右両壁に連通しており、前記押し引きチャンバの後壁には斜めスライド溝が連通するように設けられ、前記斜めスライド溝の中にはスライド軸がスライドできるように設けられ、前記スライド溝の前端が前記押し引きチャンバの中に伸びており、前記接合板のうち前記押し引きチャンバに近接した一端には押し引きロッドがヒンジによって連結され、前記押し引きロッドが同じ側の前記押し引きチャンバの中に伸びており、且つ前記スライド軸に回転できるように連結されている。
【０００８】
更の技術プラン、前記制御装置は前記改良チャンバの後壁の中に設けられた傘歯車チャンバを含み、前記傘歯車チャンバの後壁の中には制御モーターが固定的に設けられ、前記制御モーターの前端には駆動傘歯車が伝動できるように連結され、前記傘歯車チャンバの左上と、右上と、右下と、左下との四つの側には伸縮チャンバが環状に配置され、前記伸縮チャンバの中には伸縮ロッドがスライドできるように設けられ、前記伸縮チャンバが前記斜めスライド溝の後側に連通しており、前記スライド軸の後端が前記伸縮ロッドに固定的に連結され、前記伸縮ロッドの中には前記傘歯車チャンバに向いて開口したネジ山チャンバが設けられ、前記ネジ山チャンバの中にはネジロッドがねじ山によって連結され、前記ネジロッドの一端が前記傘歯車チャンバの中に伸びており、且つ前記ネジロッドの一端には前記駆動傘歯車と噛合した従動傘歯車が固定的に設けられている。
【０００９】
更の技術プラン、下側の伸縮チャンバの間にはガイドスライドチャンバが連通するように設けられ、前記ガイドスライドチャンバが前記スライドロッドチャンバの後壁に連通しており、前記ガイドスライドチャンバの中にはガイドスライドブロックが左右に対称的に、且つスライドできるように設けられ、前記ガイドスライドブロックが前記スライドロッドの後端に固定的に連結され、前記ガイドスライドブロックの中にはスライドチャンバが設けられ、前記スライドチャンバの中にはスライドブロックがスライドできるように設けられ、前記スライドブロックのうち前記伸縮チャンバに近接した一端には連結ロッドが固定的に設けられ、前記連結ロッドが下側の前記伸縮ロッドの下端に固定的に連結されている。
【００１０】
更の技術プラン、前記改良チャンバの下壁には外部に連通した流出口が連通するように設けられている。
【発明の効果】
【００１１】
本発明は構造が簡単で、操作が便利であり、ニーズに合わせて自動的に接合でき、使用しない開口を閉じることもでき、改良するときの密封問題を解決でき、三つの通路に対して四種類の方式で連通することにより、使用状況に応じて連通方向を選択でき、連通パイプの数量も選択でき、より多くのニーズに対応でき、使用しないパイプに対して、水を流通させない方法を取り、有効にパイプの使用寿命を延ばせる。
【図面の簡単な説明】
【００１２】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の圧力配管の速い改良方法及び改良装置の内部全体構成略図
【図２】図２は図１のＡ―Ａの構成略図
【図３】図３は図２のＢ―Ｂの構成略図
【図４】図４は図３のＣ―Ｃの構成略図
【発明を実施するための形態】
【００１４】
図１〜４を参照し、本発明の圧力配管の速い改良方法及び改良装置の中、改良装置は本体１１を含み、前記本体１１の中には改良チャンバ１２が設けられ、前記改良チャンバ１２の左右両側と上側とには水管１３が固定的に設けられ、前記水管１３の中にはパイプ１４が貫通しており、前記パイプ１４と外部とが連通しており、前記改良チャンバ１２の中には切り替え装置１０１が設けられ、前記切り替え装置１０１は前記改良チャンバ１２の前壁に固定的に設けられた切り替えモーター１５を含み、前記切り替えモーター１５の後端には三方継ぎ手１６が伝動できるように連結され、前記三方継ぎ手１６の中には連通チャンバ１７が設けられ、前記連通チャンバ１７の左右両側と下側とには連結パイプ１８が連通するように設けられ、前記連結パイプ１８の開口が前記連通チャンバ１７から離れており、前記切り替え装置１０１の下側には口閉じ装置１０２が設けられ、前記切り替え装置１０１の左右両側と上側とには密封装置１０３が設けられ、前記口閉じ装置１０２は下向きに置いてある前記連結パイプ１８の口を閉じることができ、前記連通チャンバ１７の中に流れた媒質が下方から流れ出すことを防ぎ、前記密封装置１０３は三方継ぎ手１６と前記水管１３とを接合しきつく挟むことができ、これによって同じ側にある前記連結パイプ１８と前記パイプ１４との間に水が流れることができ、前記改良チャンバ１２の後側には制御装置１０４が設けられ、前記制御装置１０４は同時に前記口閉じ装置１０２と前記密封装置１０３との作動を制御することができ、前記三方継ぎ手１６が回転することによって四つの形で三つの側の前記パイプ１４の間に水が流れることができ、中間の前記連結パイプ１８が下に向いているとき、相対した前記連結パイプ１８が水平状態にあり、これにより左右両側の前記パイプを連通し、中間の前記連結パイプ１８が左に向くとき、左側の前記パイプ１４と上側の前記パイプ１４との間に水が流れることができ、中間の前記連結パイプ１８が上に向くとき、三つの側の前記パイプ１４の間に水が流れることができ、中間の前記連結パイプ１８が右に向くとき、右側の前記パイプ１４と上側の前記パイプ１４との間に水が流れることができる。
【００１５】
使用方法は：制御装置１０４を始動し、口閉じ装置１０２を降下連動させ、同時に密封装置１０３を連動させ、密封装置１０３が三方継ぎ手１６と水管１３との間の接合を解除し、このとき切り替えモーター１５が作動し三方継ぎ手１６を回転連動させ、回転角度は九十度と、百八十度と、二百七十度とに限られており、パイプの中で水をどういうふうに流すニーズにより回転角度を選択し、回転完了後再び制御装置１０４を始動し、口閉じ装置１０２と密封装置１０３とを復帰させ、改めて口を閉じれば接合ができる。
【００１６】
有益に、前記口閉じ装置１０２は前記改良チャンバ１２の下壁の中間に連通するように設けられた昇降チャンバ１９を含み、前記昇降チャンバ１９の中には昇降ロッド２０がスライドできるように設けられ、前記昇降ロッド２０の上端には口閉じ板２１が固定的に設けられ、前記口閉じ板２１の中には上方に開口した密封チャンバ２２が設けられ、前記昇降チャンバ１９の左右両側にはスライドロッドチャンバ２３が左右に対称的に設けられ、前記スライドロッドチャンバ２３が前記改良チャンバ１２の下壁に連通しており、前記スライドロッドチャンバ２３の中にはスライドロッド２４がスライドできるように設けられ、前記スライドロッド２４の上端には支持ロッド２５がヒンジによって連結され、前記支持ロッド２５の上端が前記口閉じ板２１の左右両端面にヒンジによって連結されている。
【００１７】
使用するとき、スライドロッド２４を移動し互いに近づけまたは離れさせ、支持ロッド２５が口閉じ板２１を上昇または降下させ、下向きの一端の連通チャンバ１７は密封チャンバ２２の中に伸びて密封チャンバの下壁と当接することができ、下向きの連結パイプ１８の口を閉じる。
【００１８】
有益に、前記密封装置１０３は改良チャンバ１２の左右壁と上壁とに連通するように設けられた接合チャンバ４５を含み、前記接合チャンバ４５のうち前記改良チャンバ１２から離れた側の内壁の中には水管１３が固定的に設けられ、前記接合チャンバ４５の中には半円弧の接合板２６が対称的に、且つスライドできるように設けられ、左右両側の前記接合チャンバ４５の中の前記接合板２６は上下に対称的に、且つ上下に移動できるように設けられ、上側の前記接合チャンバ４５の中には前記接合板２６が左右に対称的に、且つ左右に移動できるように設けられ、左右両側の前記接合チャンバ４５の上下両壁には押し引きチャンバ２７が連通するように設けられ、上側の前記押し引きチャンバ２７が上側の前記接合チャンバ４５の左右両壁に連通しており、前記押し引きチャンバ２７の後壁には斜めスライド溝２８が連通するように設けられ、前記斜めスライド溝２８の中にはスライド軸２９がスライドできるように設けられ、前記スライド溝２９の前端が前記押し引きチャンバ２７の中に伸びており、前記接合板２６のうち前記押し引きチャンバ２７に近接した一端には押し引きロッド３０がヒンジによって連結され、前記押し引きロッド３０が同じ側の前記押し引きチャンバ２７の中に伸びており、且つ前記スライド軸２９に回転できるように連結されている。
【００１９】
使用するとき、スライド軸２９は押し引きロッド３０によりそれぞれの接合チャンバ４５の中の接合板２６を互いに近づけまたは離れさせる。
【００２０】
有益に、前記制御装置１０４は前記改良チャンバ１２の後壁の中に設けられた傘歯車チャンバ３１を含み、前記傘歯車チャンバ３１の後壁の中には制御モーター３２が固定的に設けられ、前記制御モーター３２の前端には駆動傘歯車３３が伝動できるように連結され、前記傘歯車チャンバ３１の左上と、右上と、右下と、左下との四つの側には伸縮チャンバ３４が環状に配置され、前記伸縮チャンバ３４の中には伸縮ロッド３５がスライドできるように設けられ、前記伸縮チャンバ３４が前記斜めスライド溝２８の後側に連通しており、前記スライド軸２９の後端が前記伸縮ロッド３５に固定的に連結され、前記伸縮ロッド３５の中には前記傘歯車チャンバ３１に向いて開口したネジ山チャンバ３６が設けられ、前記ネジ山チャンバ３６の中にはネジロッド３７がねじ山によって連結され、前記ネジロッド３７の一端が前記傘歯車チャンバ３１の中に伸びており、且つ前記ネジロッド３７の一端には前記駆動傘歯車３３と噛合した従動傘歯車３８が固定的に設けられている。
【００２１】
使用するとき、制御モーター３２が作動し駆動傘歯車３３を回転連動させ、ネジ山の連結により従動傘歯車３８を回転連動させ、これによりネジロッド３７を回転連動させ、ネジ山の連結により伸縮ロッド３５を傘歯車チャンバ３１から離れた方向へ移動連動させ、これによりスライド軸２９を中心から離れた方向へ移動連動させる。
【００２２】
有益に、下側の伸縮チャンバ３４の間にはガイドスライドチャンバ３９が連通するように設けられ、前記ガイドスライドチャンバ３９が前記スライドロッドチャンバ２３の後壁に連通しており、前記ガイドスライドチャンバ３９の中にはガイドスライドブロック４０が
左右に対称的に、且つスライドできるように設けられ、前記ガイドスライドブロック４０が前記スライドロッド２４の後端に固定的に連結され、前記ガイドスライドブロック４０の中にはスライドチャンバ４１が設けられ、前記スライドチャンバ４１の中にはスライドブロック４２がスライドできるように設けられ、前記スライドブロック４２のうち前記伸縮チャンバ３４に近接した一端には連結ロッド４３が固定的に設けられ、前記連結ロッド４３が下側の前記伸縮ロッド３５の下端に固定的に連結されている。
【００２３】
使用するとき、下側の伸縮ロッド３５が連結ロッド４３によりスライドブロック４２を下へスライド連動させると同時に、スライドブロック４２を互いに離れさせ、スライドブロック４２がスライドチャンバ４１の中に上下にスライドすることができるため、ガイドスライドブロック４０が互いに離れ、これによりスライドロッドチャンバ２３を互いに離れさせる。
【００２４】
有益に、前記改良チャンバ１２の下壁には外部に連通した流出口４４が連通するように設けられている。
【００２５】
使用するとき、連通方式の切り替えをするとき、連通チャンバ１７と連結パイプ１８との中に残された媒質が改良チャンバ１２の中に流れ、流出口４４により排出されることができる。
【００２６】
初期状態に、接合板２６が互いにきつく挟み、水管１３と三方継ぎ手１６とを接合し密封し、口閉じ板２１が下側の連結パイプ１８の口を閉じる。
【００２７】
パイプを改良するとき、水が流れてくる側のパイプ１４を閉じ、制御モーター３２が作動し駆動傘歯車３３を回転連動させ、ねじ山の連結により従動傘歯車３８を回転連動させ、これによりネジロッド３７を回転連動させ、ねじ山の連結により伸縮ロッド３５を傘歯車チャンバ３１から離れた方向へ移動連動させ、これによりスライド軸２９を中心から離れた方向へ移動連動させ、これにより押し引きロッド３０で接合板２６を連動させて互いに離れさせ、これにより三方継ぎ手１６と水管１３との間の接合を解除し、このとき下側の伸縮ロッド３５が連結ロッド４３でスライドブロック４２を下へスライド連動させると同時に、スライドブロック４２を互いに離れさせ、スライドブロック４２がスライドチャンバ４１の中に上下にスライドすることができるため、ガイドスライドブロック４０を連動させて互いに離れさせ、これによりスライドロッドチャンバ２３を連動させて互いに離れさせ、これにより支持ロッド２５で口閉じ板２１を降下連動させ、このとき三方継ぎ手１６が密封チャンバ２２と離脱し、このとき切り替えモーター１５が作動し、且つ改良のニーズに合わせて三方継ぎ手１６を回転させ、完成後制御モーター３２が逆回転し、装置を初期状態に戻す。
【００２８】
本発明の有益効果は：本発明は構造が簡単で、操作が便利であり、ニーズに合わせて自動的に接合でき、使用しない開口を閉じることもでき、改良するときの密封問題を解決でき、三つの通路に対して四種類の方式で連通することにより、使用状況に応じて連通方向を選択でき、連通パイプの数量も選択でき、より多くのニーズに対応でき、使用しないパイプに対して、水を流通させない方法を取り、有効にパイプの使用寿命を延ばせる。
【００２９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
正面視で、切り替え装置は本体を含み、前記本体の中には切り替えチャンバが設けられ、前記切り替えチャンバの左右両側と上側とには水管が固定的に設けられ、前記水管の中にはパイプが貫通しており、前記パイプと外部とが連通しており、前記切り替えチャンバの中には切り替え装置が設けられ、前記切り替え装置は前記切り替えチャンバの前壁に固定的に設けられた切り替えモーターを含み、前記切り替えモーターの後端には三方継ぎ手が伝動できるように連結され、前記三方継ぎ手の中には連通チャンバが設けられ、前記連通チャンバの左右両側と下側とには連結パイプが連通するように設けられ、前記連結パイプの開口が前記連通チャンバから離れており、前記切り替え装置の下側には口閉じ装置が設けられ、前記切り替え装置の左右両側と上側とには密封装置が設けられ、前記口閉じ装置は下向きに置いてある前記連結パイプの口を閉じることができ、前記連通チャンバの中に流れた媒質が下方から流れ出すことを防ぎ、前記密封装置は三方継ぎ手と前記水管とを接合しきつく挟むことができ、これによって同じ側にある前記連結パイプと前記パイプとの間に水が流れることができ、前記切り替えチャンバの後側には制御装置が設けられ、前記制御装置は同時に前記口閉じ装置と前記密封装置との作動を制御することができ、前記三方継ぎ手が回転することによって四つの形で三つの側の前記パイプの間に水が流れることができ、中間の前記連結パイプが下に向いているとき、相対した前記連結パイプが水平状態にあり、これにより左右両側の前記パイプを連通し、中間の前記連結パイプが左に向くとき、左側の前記パイプと上側の前記パイプとの間に水が流れることができ、中間の前記連結パイプが上に向くとき、三つの側の前記パイプの間に水が流れることができ、中間の前記連結パイプが右に向くとき、右側の前記パイプと上側の前記パイプとの間に水が流れることができ、
使用方法は：制御装置を始動し、口閉じ装置を降下連動させ、同時に密封装置を連動させ、密封装置が三方継ぎ手と水管との間の接合を解除し、このとき切り替えモーターが作動し三方継ぎ手を回転連動させ、回転角度は九十度と、百八十度と、二百七十度とに限られており、パイプの中で水をどういうふうに流すニーズにより回転角度を選択し、回転完了後再び制御装置を始動し、口閉じ装置と密封装置とを復帰させ、改めて口を閉じれば接合ができることを特徴とする圧力配管の速い切り替えが可能な方法及び切り替え装置。
【請求項２】
前記口閉じ装置は前記切り替えチャンバの下壁の中間に連通するように設けられた昇降チャンバを含み、前記昇降チャンバの中には昇降ロッドがスライドできるように設けられ、前記昇降ロッドの上端には口閉じ板が固定的に設けられ、前記口閉じ板の中には上方に開口した密封チャンバが設けられ、前記昇降チャンバの左右両側にはスライドロッドチャンバが左右に対称的に設けられ、前記スライドロッドチャンバが前記切り替えチャンバの下壁に連通しており、前記スライドロッドチャンバの中にはスライドロッドがスライドできるように設けられ、前記スライドロッドの上端には支持ロッドがヒンジによって連結され、前記支持ロッドの上端が前記口閉じ板の左右両端面にヒンジによって連結され、
使用するとき、スライドロッドを移動し互いに近づけまたは離れさせ、支持ロッドが口閉じ板を上昇または降下させ、下向きの一端の連通チャンバは密封チャンバの中に伸びて密封チャンバの下壁と当接することができ、下向きの連結パイプの口を閉じることを特徴とする請求項１に記載の圧力配管の速い切り替えが可能な方法及び切り替え装置。
【請求項３】
前記密封装置は切り替えチャンバの左右壁と上壁とに連通するように設けられた接合チャンバを含み、前記接合チャンバのうち前記切り替えチャンバから離れた側の内壁の中には水管が固定的に設けられ、前記接合チャンバの中には半円弧の接合板が対称的に、且つスライドできるように設けられ、左右両側の前記接合チャンバの中の前記接合板は上下に対称的に、且つ上下に移動できるように設けられ、上側の前記接合チャンバの中には前記接合板が左右に対称的に、且つ左右に移動できるように設けられ、左右両側の前記接合チャンバの上下両壁には押し引きチャンバが連通するように設けられ、上側の前記押し引きチャンバが上側の前記接合チャンバの左右両壁に連通しており、前記押し引きチャンバの後壁には斜めスライド溝が連通するように設けられ、前記斜めスライド溝の中にはスライド軸がスライドできるように設けられ、前記スライド溝の前端が前記押し引きチャンバの中に伸びており、前記接合板のうち前記押し引きチャンバに近接した一端には押し引きロッドがヒンジによって連結され、前記押し引きロッドが同じ側の前記押し引きチャンバの中に伸びており、且つ前記スライド軸に回転できるように連結され、
使用するとき、スライド軸は押し引きロッドによりそれぞれの接合チャンバの中の接合板を互いに近づけまたは離れさせることを特徴とする請求項１に記載の圧力配管の速い切り替えが可能な方法及び切り替え装置。
【請求項４】
前記制御装置は前記切り替えチャンバの後壁の中に設けられた傘歯車チャンバを含み、前記傘歯車チャンバの後壁の中には制御モーターが固定的に設けられ、前記制御モーターの前端には駆動傘歯車が伝動できるように連結され、前記傘歯車チャンバの左上と、右上と、右下と、左下との四つの側には伸縮チャンバが環状に配置され、前記伸縮チャンバの中には伸縮ロッドがスライドできるように設けられ、前記伸縮チャンバが前記斜めスライド溝の後側に連通しており、前記スライド軸の後端が前記伸縮ロッドに固定的に連結され、前記伸縮ロッドの中には前記傘歯車チャンバに向いて開口したネジ山チャンバが設けられ、前記ネジ山チャンバの中にはネジロッドがねじ山によって連結され、前記ネジロッドの一端が前記傘歯車チャンバの中に伸びており、且つ前記ネジロッドの一端には前記駆動傘歯車と噛合した従動傘歯車が固定的に設けられ、
使用するとき、制御モーターが作動し駆動傘歯車を回転連動させ、ネジ山の連結により従動傘歯車を回転連動させ、これによりネジロッドを回転連動させ、ネジ山の連結により伸縮ロッドを傘歯車チャンバから離れた方向へ移動連動させ、これによりスライド軸を中心から離れた方向へ移動連動させることを特徴とする請求項１に記載の圧力配管の速い切り替えが可能な方法及び切り替え装置。
【請求項５】
下側の伸縮チャンバの間にはガイドスライドチャンバが連通するように設けられ、前記ガイドスライドチャンバが前記スライドロッドチャンバの後壁に連通しており、前記ガイドスライドチャンバの中にはガイドスライドブロックが左右に対称的に、且つスライドできるように設けられ、前記ガイドスライドブロックが前記スライドロッドの後端に固定的に連結され、前記ガイドスライドブロックの中にはスライドチャンバが設けられ、前記スライドチャンバの中にはスライドブロックがスライドできるように設けられ、前記スライドブロックのうち前記伸縮チャンバに近接した一端には連結ロッドが固定的に設けられ、前記連結ロッドが下側の前記伸縮ロッドの下端に固定的に連結され、
使用するとき、下側の伸縮ロッドが連結ロッドによりスライドブロックを下へスライド連動させると同時に、スライドブロックを互いに離れさせ、スライドブロックがスライドチャンバの中に上下にスライドすることができるため、ガイドスライドブロックが互いに離れ、これによりスライドロッドチャンバを互いに離れさせることを特徴とする請求項１に記載の圧力配管の速い切り替えが可能な方法及び切り替え装置。
【請求項６】
前記切り替えチャンバの下壁には外部に連通した流出口が連通するように設けられ、
使用するとき、連通方式の切り替えをするとき、連通チャンバと連結パイプとの中に残された媒質が切り替えチャンバの中に流れ、流出口により排出されることができることを特徴とする請求項１に記載の圧力配管の速い切り替えが可能な方法及び切り替え装置。
【手続補正２】
【補正対象書類名】明細書
【補正対象項目名】全文
【補正方法】変更
【補正の内容】
【発明の詳細な説明】
【技術分野】
【０００１】
本発明は配管技術分野を取り上げて、具体的には圧力配管の速い切り替えが可能な方法及び切り替え装置である。
【背景技術】
【０００２】
圧力配管は導水作用を果たすことができるが、異なった環境とニーズによって導水方向が
異なっており、そのため、配管を速く切り替えする必要があり、現有の圧力配管の切り替え方法の中、ほとんどが直接に配管を固定し連結し、そして固定し取り付け、配管の開閉を制御するため、それぞれの配管にはバルブが取り付けられ、しかし長時間の圧力により、閉まっているバルブが長時間の圧力を受けるため、壊れやすくなり、もしバルブが壊れて水が漏れたら、損失を招く一方、圧力が降下することによって水圧の作用を弱めることもあり、同時にメンテナンスも面倒くさく、従って、圧力配管の速い切り替えが可能な方法及び切り替え装置が必要とされる。
【先行技術文献】
【特許文献】
【０００３】
【特許文献１】中国特許出願公開第１０１７２５７９３号明細書
【発明の概要】
【発明が解決しようとする課題】
【０００４】
本発明の目的は圧力配管の速い切り替えが可能な方法及び切り替え装置を提供し、それは上記の現在の技術中の問題を解決できる。
【課題を解決するための手段】
【０００５】
本発明の圧力配管の速い切り替えが可能な方法及び切り替え装置の中、切り替え装置は本体を含み、前記本体の中には切り替えチャンバが設けられ、前記切り替えチャンバの左右両側と上側とには水管が固定的に設けられ、前記水管の中にはパイプが貫通しており、前記パイプと外部とが連通しており、前記切り替えチャンバの中には切り替え装置が設けられ、前記切り替え装置は前記切り替えチャンバの前壁に固定的に設けられた切り替えモーターを含み、前記切り替えモーターの後端には三方継ぎ手が伝動できるように連結され、前記三方継ぎ手の中には連通チャンバが設けられ、前記連通チャンバの左右両側と下側とには連結パイプが連通するように設けられ、前記連結パイプの開口が前記連通チャンバから離れており、前記切り替え装置の下側には口閉じ装置が設けられ、前記切り替え装置の左右両側と上側とには密封装置が設けられ、前記口閉じ装置は下向きに置いてある前記連結パイプの口を閉じることができ、前記連通チャンバの中に流れた媒質が下方から流れ出すことを防ぎ、前記密封装置は三方継ぎ手と前記水管とを接合しきつく挟むことができ、これによって同じ側にある前記連結パイプと前記パイプとの間に水が流れることができ、前記切り替えチャンバの後側には制御装置が設けられ、前記制御装置は同時に前記口閉じ装置と前記密封装置との作動を制御することができ、前記三方継ぎ手が回転することによって四つの形で三つの側の前記パイプの間に水が流れることができ、中間の前記連結パイプが下に向いているとき、相対した前記連結パイプが水平状態にあり、これにより左右両側の前記パイプを連通し、中間の前記連結パイプが左に向くとき、左側の前記パイプと上側の前記パイプとの間に水が流れることができ、中間の前記連結パイプが上に向くとき、三つの側の前記パイプの間に水が流れることができ、中間の前記連結パイプが右に向くとき、右側の前記パイプと上側の前記パイプとの間に水が流れることができる。
【０００６】
更の技術プラン、前記口閉じ装置は前記切り替えチャンバの下壁の中間に連通するように設けられた昇降チャンバを含み、前記昇降チャンバの中には昇降ロッドがスライドできるように設けられ、前記昇降ロッドの上端には口閉じ板が固定的に設けられ、前記口閉じ板の中には上方に開口した密封チャンバが設けられ、前記昇降チャンバの左右両側にはスライドロッドチャンバが左右に対称的に設けられ、前記スライドロッドチャンバが前記切り替えチャンバの下壁に連通しており、前記スライドロッドチャンバの中にはスライドロッドがスライドできるように設けられ、前記スライドロッドの上端には支持ロッドがヒンジによって連結され、前記支持ロッドの上端が前記口閉じ板の左右両端面にヒンジによって連結されている。
【０００７】
更の技術プラン、前記密封装置は切り替えチャンバの左右壁と上壁とに連通するように設けられた接合チャンバを含み、前記接合チャンバのうち前記切り替えチャンバから離れた側の内壁の中には水管が固定的に設けられ、前記接合チャンバの中には半円弧の接合板が対称的に、且つスライドできるように設けられ、左右両側の前記接合チャンバの中の前記接合板は上下に対称的に、且つ上下に移動できるように設けられ、上側の前記接合チャンバの中には前記接合板が左右に対称的に、且つ左右に移動できるように設けられ、左右両側の前記接合チャンバの上下両壁には押し引きチャンバが連通するように設けられ、上側の前記押し引きチャンバが上側の前記接合チャンバの左右両壁に連通しており、前記押し引きチャンバの後壁には斜めスライド溝が連通するように設けられ、前記斜めスライド溝の中にはスライド軸がスライドできるように設けられ、前記スライド溝の前端が前記押し引きチャンバの中に伸びており、前記接合板のうち前記押し引きチャンバに近接した一端には押し引きロッドがヒンジによって連結され、前記押し引きロッドが同じ側の前記押し引きチャンバの中に伸びており、且つ前記スライド軸に回転できるように連結されている。
【０００８】
更の技術プラン、前記制御装置は前記切り替えチャンバの後壁の中に設けられた傘歯車チャンバを含み、前記傘歯車チャンバの後壁の中には制御モーターが固定的に設けられ、前記制御モーターの前端には駆動傘歯車が伝動できるように連結され、前記傘歯車チャンバの左上と、右上と、右下と、左下との四つの側には伸縮チャンバが環状に配置され、前記伸縮チャンバの中には伸縮ロッドがスライドできるように設けられ、前記伸縮チャンバが前記斜めスライド溝の後側に連通しており、前記スライド軸の後端が前記伸縮ロッドに固定的に連結され、前記伸縮ロッドの中には前記傘歯車チャンバに向いて開口したネジ山チャンバが設けられ、前記ネジ山チャンバの中にはネジロッドがねじ山によって連結され、前記ネジロッドの一端が前記傘歯車チャンバの中に伸びており、且つ前記ネジロッドの一端には前記駆動傘歯車と噛合した従動傘歯車が固定的に設けられている。
【０００９】
更の技術プラン、下側の伸縮チャンバの間にはガイドスライドチャンバが連通するように設けられ、前記ガイドスライドチャンバが前記スライドロッドチャンバの後壁に連通しており、前記ガイドスライドチャンバの中にはガイドスライドブロックが左右に対称的に、且つスライドできるように設けられ、前記ガイドスライドブロックが前記スライドロッドの後端に固定的に連結され、前記ガイドスライドブロックの中にはスライドチャンバが設けられ、前記スライドチャンバの中にはスライドブロックがスライドできるように設けられ、前記スライドブロックのうち前記伸縮チャンバに近接した一端には連結ロッドが固定的に設けられ、前記連結ロッドが下側の前記伸縮ロッドの下端に固定的に連結されている。
【００１０】
更の技術プラン、前記切り替えチャンバの下壁には外部に連通した流出口が連通するように設けられている。
【発明の効果】
【００１１】
本発明は構造が簡単で、操作が便利であり、ニーズに合わせて自動的に接合でき、使用しない開口を閉じることもでき、切り替えするときの密封問題を解決でき、三つの通路に対して四種類の方式で連通することにより、使用状況に応じて連通方向を選択でき、連通パイプの数量も選択でき、より多くのニーズに対応でき、使用しないパイプに対して、水を流通させない方法を取り、有効にパイプの使用寿命を延ばせる。
【図面の簡単な説明】
【００１２】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の圧力配管の速い切り替えが可能な方法及び切り替え装置の内部全体構成略図
【図２】図２は図１のＡ―Ａの構成略図
【図３】図３は図２のＢ―Ｂの構成略図
【図４】図４は図３のＣ―Ｃの構成略図
【発明を実施するための形態】
【００１４】
図１〜４を参照し、本発明の圧力配管の速い切り替えが可能な方法及び切り替え装置の中、切り替え装置は本体１１を含み、前記本体１１の中には切り替えチャンバ１２が設けられ、前記切り替えチャンバ１２の左右両側と上側とには水管１３が固定的に設けられ、前記水管１３の中にはパイプ１４が貫通しており、前記パイプ１４と外部とが連通しており、前記切り替えチャンバ１２の中には切り替え装置１０１が設けられ、前記切り替え装置１０１は前記切り替えチャンバ１２の前壁に固定的に設けられた切り替えモーター１５を含み、前記切り替えモーター１５の後端には三方継ぎ手１６が伝動できるように連結され、前記三方継ぎ手１６の中には連通チャンバ１７が設けられ、前記連通チャンバ１７の左右両側と下側とには連結パイプ１８が連通するように設けられ、前記連結パイプ１８の開口が前記連通チャンバ１７から離れており、前記切り替え装置１０１の下側には口閉じ装置１０２が設けられ、前記切り替え装置１０１の左右両側と上側とには密封装置１０３が設けられ、前記口閉じ装置１０２は下向きに置いてある前記連結パイプ１８の口を閉じることができ、前記連通チャンバ１７の中に流れた媒質が下方から流れ出すことを防ぎ、前記密封装置１０３は三方継ぎ手１６と前記水管１３とを接合しきつく挟むことができ、これによって同じ側にある前記連結パイプ１８と前記パイプ１４との間に水が流れることができ、前記切り替えチャンバ１２の後側には制御装置１０４が設けられ、前記制御装置１０４は同時に前記口閉じ装置１０２と前記密封装置１０３との作動を制御することができ、前記三方継ぎ手１６が回転することによって四つの形で三つの側の前記パイプ１４の間に水が流れることができ、中間の前記連結パイプ１８が下に向いているとき、相対した前記連結パイプ１８が水平状態にあり、これにより左右両側の前記パイプを連通し、中間の前記連結パイプ１８が左に向くとき、左側の前記パイプ１４と上側の前記パイプ１４との間に水が流れることができ、中間の前記連結パイプ１８が上に向くとき、三つの側の前記パイプ１４の間に水が流れることができ、中間の前記連結パイプ１８が右に向くとき、右側の前記パイプ１４と上側の前記パイプ１４との間に水が流れることができる。
【００１５】
使用方法は：制御装置１０４を始動し、口閉じ装置１０２を降下連動させ、同時に密封装置１０３を連動させ、密封装置１０３が三方継ぎ手１６と水管１３との間の接合を解除し、このとき切り替えモーター１５が作動し三方継ぎ手１６を回転連動させ、回転角度は九十度と、百八十度と、二百七十度とに限られており、パイプの中で水をどういうふうに流すニーズにより回転角度を選択し、回転完了後再び制御装置１０４を始動し、口閉じ装置１０２と密封装置１０３とを復帰させ、改めて口を閉じれば接合ができる。
【００１６】
有益に、前記口閉じ装置１０２は前記切り替えチャンバ１２の下壁の中間に連通するように設けられた昇降チャンバ１９を含み、前記昇降チャンバ１９の中には昇降ロッド２０がスライドできるように設けられ、前記昇降ロッド２０の上端には口閉じ板２１が固定的に設けられ、前記口閉じ板２１の中には上方に開口した密封チャンバ２２が設けられ、前記昇降チャンバ１９の左右両側にはスライドロッドチャンバ２３が左右に対称的に設けられ、前記スライドロッドチャンバ２３が前記切り替えチャンバ１２の下壁に連通しており、前記スライドロッドチャンバ２３の中にはスライドロッド２４がスライドできるように設けられ、前記スライドロッド２４の上端には支持ロッド２５がヒンジによって連結され、前記支持ロッド２５の上端が前記口閉じ板２１の左右両端面にヒンジによって連結されている。
【００１７】
使用するとき、スライドロッド２４を移動し互いに近づけまたは離れさせ、支持ロッド２５が口閉じ板２１を上昇または降下させ、下向きの一端の連通チャンバ１７は密封チャンバ２２の中に伸びて密封チャンバの下壁と当接することができ、下向きの連結パイプ１８の口を閉じる。
【００１８】
有益に、前記密封装置１０３は切り替えチャンバ１２の左右壁と上壁とに連通するように設けられた接合チャンバ４５を含み、前記接合チャンバ４５のうち前記切り替えチャンバ１２から離れた側の内壁の中には水管１３が固定的に設けられ、前記接合チャンバ４５の中には半円弧の接合板２６が対称的に、且つスライドできるように設けられ、左右両側の前記接合チャンバ４５の中の前記接合板２６は上下に対称的に、且つ上下に移動できるように設けられ、上側の前記接合チャンバ４５の中には前記接合板２６が左右に対称的に、且つ左右に移動できるように設けられ、左右両側の前記接合チャンバ４５の上下両壁には押し引きチャンバ２７が連通するように設けられ、上側の前記押し引きチャンバ２７が上側の前記接合チャンバ４５の左右両壁に連通しており、前記押し引きチャンバ２７の後壁には斜めスライド溝２８が連通するように設けられ、前記斜めスライド溝２８の中にはスライド軸２９がスライドできるように設けられ、前記スライド溝２９の前端が前記押し引きチャンバ２７の中に伸びており、前記接合板２６のうち前記押し引きチャンバ２７に近接した一端には押し引きロッド３０がヒンジによって連結され、前記押し引きロッド３０が同じ側の前記押し引きチャンバ２７の中に伸びており、且つ前記スライド軸２９に回転できるように連結されている。
【００１９】
使用するとき、スライド軸２９は押し引きロッド３０によりそれぞれの接合チャンバ４５の中の接合板２６を互いに近づけまたは離れさせる。
【００２０】
有益に、前記制御装置１０４は前記切り替えチャンバ１２の後壁の中に設けられた傘歯車チャンバ３１を含み、前記傘歯車チャンバ３１の後壁の中には制御モーター３２が固定的に設けられ、前記制御モーター３２の前端には駆動傘歯車３３が伝動できるように連結され、前記傘歯車チャンバ３１の左上と、右上と、右下と、左下との四つの側には伸縮チャンバ３４が環状に配置され、前記伸縮チャンバ３４の中には伸縮ロッド３５がスライドできるように設けられ、前記伸縮チャンバ３４が前記斜めスライド溝２８の後側に連通しており、前記スライド軸２９の後端が前記伸縮ロッド３５に固定的に連結され、前記伸縮ロッド３５の中には前記傘歯車チャンバ３１に向いて開口したネジ山チャンバ３６が設けられ、前記ネジ山チャンバ３６の中にはネジロッド３７がねじ山によって連結され、前記ネジロッド３７の一端が前記傘歯車チャンバ３１の中に伸びており、且つ前記ネジロッド３７の一端には前記駆動傘歯車３３と噛合した従動傘歯車３８が固定的に設けられている。
【００２１】
使用するとき、制御モーター３２が作動し駆動傘歯車３３を回転連動させ、ネジ山の連結により従動傘歯車３８を回転連動させ、これによりネジロッド３７を回転連動させ、ネジ山の連結により伸縮ロッド３５を傘歯車チャンバ３１から離れた方向へ移動連動させ、これによりスライド軸２９を中心から離れた方向へ移動連動させる。
【００２２】
有益に、下側の伸縮チャンバ３４の間にはガイドスライドチャンバ３９が連通するように設けられ、前記ガイドスライドチャンバ３９が前記スライドロッドチャンバ２３の後壁に連通しており、前記ガイドスライドチャンバ３９の中にはガイドスライドブロック４０が
左右に対称的に、且つスライドできるように設けられ、前記ガイドスライドブロック４０が前記スライドロッド２４の後端に固定的に連結され、前記ガイドスライドブロック４０の中にはスライドチャンバ４１が設けられ、前記スライドチャンバ４１の中にはスライドブロック４２がスライドできるように設けられ、前記スライドブロック４２のうち前記伸縮チャンバ３４に近接した一端には連結ロッド４３が固定的に設けられ、前記連結ロッド４３が下側の前記伸縮ロッド３５の下端に固定的に連結されている。
【００２３】
使用するとき、下側の伸縮ロッド３５が連結ロッド４３によりスライドブロック４２を下へスライド連動させると同時に、スライドブロック４２を互いに離れさせ、スライドブロック４２がスライドチャンバ４１の中に上下にスライドすることができるため、ガイドスライドブロック４０が互いに離れ、これによりスライドロッドチャンバ２３を互いに離れさせる。
【００２４】
有益に、前記切り替えチャンバ１２の下壁には外部に連通した流出口４４が連通するように設けられている。
【００２５】
使用するとき、連通方式の切り替えをするとき、連通チャンバ１７と連結パイプ１８との中に残された媒質が切り替えチャンバ１２の中に流れ、流出口４４により排出されることができる。
【００２６】
初期状態に、接合板２６が互いにきつく挟み、水管１３と三方継ぎ手１６とを接合し密封し、口閉じ板２１が下側の連結パイプ１８の口を閉じる。
【００２７】
パイプを切り替えするとき、水が流れてくる側のパイプ１４を閉じ、制御モーター３２が作動し駆動傘歯車３３を回転連動させ、ねじ山の連結により従動傘歯車３８を回転連動させ、これによりネジロッド３７を回転連動させ、ねじ山の連結により伸縮ロッド３５を傘歯車チャンバ３１から離れた方向へ移動連動させ、これによりスライド軸２９を中心から離れた方向へ移動連動させ、これにより押し引きロッド３０で接合板２６を連動させて互いに離れさせ、これにより三方継ぎ手１６と水管１３との間の接合を解除し、このとき下側の伸縮ロッド３５が連結ロッド４３でスライドブロック４２を下へスライド連動させると同時に、スライドブロック４２を互いに離れさせ、スライドブロック４２がスライドチャンバ４１の中に上下にスライドすることができるため、ガイドスライドブロック４０を連動させて互いに離れさせ、これによりスライドロッドチャンバ２３を連動させて互いに離れさせ、これにより支持ロッド２５で口閉じ板２１を降下連動させ、このとき三方継ぎ手１６が密封チャンバ２２と離脱し、このとき切り替えモーター１５が作動し、且つ切り替えのニーズに合わせて三方継ぎ手１６を回転させ、完成後制御モーター３２が逆回転し、装置を初期状態に戻す。
【００２８】
本発明の有益効果は：本発明は構造が簡単で、操作が便利であり、ニーズに合わせて自動的に接合でき、使用しない開口を閉じることもでき、切り替えするときの密封問題を解決でき、三つの通路に対して四種類の方式で連通することにより、使用状況に応じて連通方向を選択でき、連通パイプの数量も選択でき、より多くのニーズに対応でき、使用しないパイプに対して、水を流通させない方法を取り、有効にパイプの使用寿命を延ばせる。
【００２９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。